(57)【要約】【課題】簡単なデザインの手段を使用して、印刷された枚葉紙を、複数枚に印刷された製品を製造するためにさらに処理するための方法並びに装置を提供し、比較的わずかなデザインの手間で高い生産能力が得られることを可能にする。【解決手段】印刷された枚葉紙を、少なくとも一回折り、これにより折り枚葉紙を形成し、この折り枚葉紙を上下に重ねて丁合し、枚葉紙を丁合いに先立って次のように折る、すなわち、折り枚葉紙の折りエッジが上方に位置し、前記折り枚葉紙が下方に向かって開いているように折る。【選択図】図２
2004338949.tif 000002
【特許請求の範囲】
【請求項１】
特にデジタル印刷機により印刷された枚葉紙を、複数枚の印刷製品を製造するためにさらに処理する方法であって、印刷された枚葉紙を、少なくとも一回折り、これにより折り枚葉紙を形成し、該折り枚葉紙を上下に重ねて丁合し、該枚葉紙を丁合いに先立って次のように折る、すなわち、折り枚葉紙の折りエッジが上方に位置し、前記折り枚葉紙が下方に向かって開いているように折ることを特徴とする、特にデジタル印刷機により印刷された枚葉紙を、複数枚の印刷製品を製造するためにさらに処理する方法。
【請求項２】
前記折りエッジを、丁合いに先立ってプレスする、請求項１記載の方法。
【請求項３】
特にデジタル印刷機により印刷された枚葉紙（４２）を、複数枚の印刷製品を製造するためにさらに処理する装置であって、該装置が、枚葉紙を折るための少なくとも１つの折り機（２４）を有しており、該折り機（２４）の下流に、丁合い機（２６）が設けられており、該丁合い機（２６）で、前記折り枚葉紙が互いに上下に重ねて次のように載積される、すなわち、前記折り機により形成された折りエッジ（４８）が、上方に位置しており、かつ前記折り枚葉紙が、下方に向かって開かれており、前記折り機が、下方に向かって開いたフォーマ折り機（２４）を有していることを特徴とする、特にデジタル印刷機により印刷された枚葉紙を、複数枚の印刷製品を製造するためにさらに処理するための装置。
【請求項４】
前記フォーマ折り機（２４）が、バックルフォルダ（１８）の下流に設けられている、請求項３記載の装置。
【請求項５】
前記フォーマ折り機（２４）の下流に、プレス装置（２５）が設けられており、該プレス装置（２５）が、一対のプレスローラ（４０）を有しており、該プレスローラ（４０）が、前記フォーマ折り機（２４）により折り枚葉紙の折りエッジ（４８）を通過するようになっている、請求項３記載の装置。
【発明の詳細な説明】
【技術分野】
【０００１】
本発明は、デジタル印刷機によって印刷された枚葉紙を、特に複数枚の印刷製品を製造するためにさらに処理するための方法及び装置に関する。
【背景技術】
【０００２】
ドイツ連邦共和国特許公開第１０２２０５５０号明細書は、印刷された枚葉紙をさらに処理するための方法および装置を開示している。この明細書に記載の装置は、を有しており、このによって、枚葉紙は、枚葉紙走行方向に対して横方向に折られる。には、ナイフ折り機が後続しており、このナイフ折り機によって、から排出された枚葉紙は、反対方向に回転することのできる２つの折りローラの間に枚葉紙を導入する折りナイフによって、枚葉紙走行方向に折られる。折りローラの下方には、給紙胴が配置されており、この給紙胴は、グリッパによって折られた枚葉紙を受け取る。異なる方向に回転することのできる２つの搬送ローラから形成された枚葉紙オープナが、供給胴の下方に配置されている。枚葉紙オープナの下方には、搬送レールが配置されており、この搬送レールには、開かれた枚葉紙が上下に重ねて載積される。ナイフ折り機により折られた枚葉紙は、折りエッジが下方に位置し、前記枚葉紙が上方向に開くようにナイフ折り機を通過する。給紙胴は、折りエッジが上方に位置し、枚葉紙が下方向に開くように枚葉紙を回転させ、これにより、前記枚葉紙は搬送レールに載積される。枚葉紙を反転させるための給紙胴の配置は、デザインの観点から見て非常に手間がかかる。さらに、付加的な操作ステップが、ナイフ折り機から引き渡された枚葉紙を搬送レールに載積するために必要である。このことは、装置の生産能力を低下させてしまう。
【０００３】
ドイツ連邦共和国特許第１９６１０８１４号明細書は、糸シール機（thread sealing machine)を開示している。この明細書では、枚葉紙搬送装置にはフォーマ折り機が後続しており、このフォーマ折り機は上方向に開いており、このフォーマ折り機により、搬送装置により供給された枚葉紙は次のように折られる、すなわち、折りエッジが下方に位置し、折り枚葉紙区分が上方に延びており、これにより、折り枚葉紙が上方向に開くように折られる。フォーマ折り機に続いて、折り枚葉紙の折りエッジは、一対のプレスローラを有するプレス機によってプレスされる。
【特許文献１】ドイツ連邦共和国特許公開第１０２２０５５０号明細書
【特許文献２】ドイツ連邦共和国特許第１９６１０８１４号明細書
【発明の開示】
【発明が解決しようとする課題】
【０００４】
そこで本発明の課題は、簡単なデザインの手段を使用して、印刷された枚葉紙を、複数枚に印刷された製品を製造するためにさらに処理するための方法並びに装置を提供し、比較的わずかなデザインの手間で、高い生産能力が得られることを可能にすることである。
【発明の効果】
【０００５】
この課題を解決した本発明の手段によれば、特にデジタル印刷機により印刷された枚葉紙が、複数枚の印刷製品を製造するためにさらに処理され、この場合に、前記印刷された枚葉紙は、少なくとも１回折られ、これにより折り枚葉紙が形成され、これらの折り枚葉紙は上下に重ねて丁合いされ、枚葉紙は丁合いに先立って次のように折られる、すなわち、これらの折り枚葉紙の折りエッジが上方に位置し、これらの折り枚葉紙が下方に向かって開いているように折られる。
【０００６】
本発明の方法を実施するための装置は、前記枚葉紙を折るための折り機を有しており、この折り機の下流には丁合い機が設けられており、この丁合い機には、前記折り枚葉紙が互いに上下に重ねて載積され、これにより、前記折り機により形成された折りエッジは上方に位置し、折り枚葉紙は下方に向かって開かれており、この場合、前記折り機は、下方に向かって開いたフォーマ折り機を有している。
【０００７】
下方向に開いたフォーマ折り機により、枚葉紙は丁合いに先立って次のように折られているので、すなわち、折り枚葉紙の折りエッジが上方に位置しており、折り枚葉紙が下方向に開いているように折られているので、折り機を去った後に、丁合いのために折り枚葉紙の位置を変更する必要はない。折り枚葉紙は、折り機を去った位置で丁合い機に上下に重ねて載積され得るようになっている。
【０００８】
折りの質は、折りエッジがフォーマ折り機からの出発に続いて、一対のプレスローラによりプレスされることにより改善され得る。
【０００９】
本発明による装置の有利な実施例では、フォーマ折り機は、の下流に設けられている。このは次のように形成することができる、すなわち、このが、挿入される枚葉紙を枚葉紙走行方向に対して横方向に折るか、又は枚葉紙が、折られることなしにを通過することができるように形成することができる。このことは、本発明による装置の多様性を増大させる。
【発明を実施するための最良の形態】
【００１０】
次に本発明の実施例を図面につき詳しく説明する。
【００１１】
本発明による装置は、枚葉紙給紙機１２を有しており、この枚葉紙給紙機１２には、複数の枚葉紙スタック１３が互いに上下に重ねて配置されている。それぞれの枚葉紙スタック１３は、多数の枚葉紙から成っており、これらの枚葉紙は、デジタル印刷機により上面と下面とに印刷されている。前記枚葉紙給紙機１２には、枚葉紙を整列し、かつ２つのバックルプレート２０，２２を備えた１８に供給するための整列テーブル１６が後続している。１８の下流には、フォーマ折り機２４が設けられており、このフォーマ折り機２４は、下方向に開くように配置されている。フォーマ折り機２４には、枚葉紙走行方向ＢＬで見て、丁合い機２６が後続している。この丁合い機２６は、それ自体公知であり、チェーンを有しており、このチェーンには折り枚葉紙が集められる。丁合い機２６には、この丁合い機２６によって集められた枚葉紙にカバーを位置決めするための手段２８が後続している。この手段２８には、揺動機３０が後続しており、この揺動機３０は、カバーと共に枚葉紙を整列する。揺動機３０には綴じ機３２が後続しており、この綴じ機３２は、枚葉紙とカバーとを共に綴じる。この綴じ機３２には、断裁機３４が後続しており、この断裁機３４は、枚葉紙の綴じられていない３つの側を断裁する。前記断裁機３４には、デリバリ手段３６と孔開け機３８とが後続している。
【００１２】
本発明による装置の個々の操作ステップが図２に示されている。枚葉紙４２が、枚葉紙給紙機１２の枚葉紙スタック４２から取り出され、整列テーブル１６に整列される。１８では、枚葉紙４２が、枚葉紙走行方向ＢＬに対して横方向に折られ、これにより、第１折り枚葉紙４４が形成される。この第１折り枚葉紙４４は、折りエッジ４５を前方にして１８を去り、フォーマ折り機２４に供給される。このフォーマ折り機２４は、第１折り枚葉紙４４を折り、これにより、第２折り枚葉紙４６を形成し、この第２折り枚葉紙４６の折りエッジ４８は上方に位置し、枚葉紙走行方向ＢＬに水平方向に走行し、第２折り枚葉紙４６は次のように下方に開かれている、すなわち、第２折り枚葉紙４６の下側エッジが、互いに間隔を置いて配置されているように、下方に開かれている。
【００１３】
図２から判るように、フォーマ折り機２４の下流にプレス機２５を設けることも可能である。このプレス２５は一対のプレスローラ４０を有しており、これらのプレスローラ４０は、第２折り枚葉紙４６の折りエッジ４８を、フォーマ折り機２４からの出発時にプレスする。プレス機２５に続いて、第２折り枚葉紙４６は丁合い機に上下に重ねて載積される。図２に示した操作ステップは枚葉紙を折るために用いられ、これらのステップでは、８ページの最終的な複数枚の印刷製品が印刷される。
【００１４】
枚葉紙給紙機１２から取り出された枚葉紙に、既に印刷された４ページのみの製品が印刷される場合、図３に示した操作ステップが実施される。これらのステップは、枚葉紙スタック１３から取り出され、整列テーブル１６に整列された枚葉紙５２が、折られることなしに１８を通過するということによってのみ異なっている。枚葉紙は、フォーマ折り機２４で初めて、枚葉紙走行方向ＢＬに走行する折り線に沿って折られ、これにより、第１折り枚葉紙が形成される。のこりの作業ステップは全て図２に示した作業ステップに対応している。
【００１５】
図２及び図３に示したように、フォーマ折り機２４を出発した後に、丁合い機２６に載積するために第１折り枚葉紙４６，５４の位置を変更する必要がないので、生産能力が増大され得る。
【図面の簡単な説明】
【００１６】
【図１】複数枚の印刷製品を製造するための印刷された枚葉紙をさらに処理するための装置の概略的な側面図である。
【００１７】
【図２】本発明による装置の個々の作業ステップにおいて枚葉紙がで折られることを示す概略図である。
【００１８】
【図３】装置の個々の作業ステップにおいて枚葉紙が折られることなしにを通過することを示す概略図である。
【符号の説明】
【００１９】
１２  枚葉紙給紙機、  １３  枚葉紙スタック、  １６  整列テーブル、  １８  、  ２０，２２  折りプレート、  ２４  フォーマ折り機、  ２５  プレス機、  ２６  丁合い機、  ２８  手段、    ３０  揺動装置、    ３２  綴じ機、    ３４  断裁機、  ３６  搬送手段、  ３８  孔開け機  、４２  枚葉紙、  ４４  第１折り枚葉紙、  ４６  第２折り枚葉紙、    ４８  折りエッジ、  ５２  枚葉紙、  ５４  第１折り枚葉紙
【図１】
2004338949.tif 000003
【図２】
2004338949.tif 000004
【図３】
2004338949.tif 000005